(57)【要約】【課題】乗降動作その他入浴に係る一連の動作が容易であり、又、安全対策を施した安全なものであり、又、乗降動作その他入浴に係る一連の動作が安心して快適にできる入浴用車椅子を提供すること。【解決手段】台車１と、台車１から分離する座部２とからなる入浴用車椅子３において、座部２に下肢を支持する下肢受４が軸支され、下肢受４は延出方向を軸芯にして垂直面に回動して水平状態から垂下状態に変更できると共に、下肢受４は水平面に回動してその延出方向を前方向きから後方向きに変更でき又後方向きから前方向きに変更できることを特徴とする入浴用車椅子である。【選択図】図１
2009112689.tif 000002
【特許請求の範囲】
【請求項１】
台車１と、台車１から分離する座部２とからなる入浴用車椅子３において、
座部２に下肢を支持する下肢受４が軸支され、
下肢受４は延出方向を軸芯にして垂直面に回動して水平状態から垂下状態に変更できると共に、下肢受４は水平面に回動してその延出方向を前方向きから後方向きに変更でき又後方向きから前方向きに変更できることを特徴とする入浴用車椅子。
【請求項２】
下肢受４は、基部が座部２に軸支され入浴用車椅子３の前方へ向いて直線状に延びる幹体２４と、幹体２４の先部位に水平状態に設けられる足置５と、幹体２４の延出中途部に水平状態に設けられる脹脛受６とからなり、脹脛受６はその上面が足置５の上面より僅か高いか又は同高であり、
入浴者は、足裏を足置５に乗せた立膝座姿勢、又は脹脛を脹脛受６に乗せた長座位姿勢のいずれかを選択できることを特徴とする請求項１記載の入浴用車椅子。
【請求項３】
下肢受４は、座部２の左右に所定の間隔をもって、入浴用車椅子３の前方へ向けて設けられる左下肢受４ａと右下肢受４ｂとからなり、脹脛受６の表面は緩衝部材２３でなり、
左右の足置５及び脹脛受６を垂下状態にした時、左右の緩衝部材２３は互いに間隔をもって向き合っており、入浴者は左右の緩衝部材２３の間にあって安全に乗降できることを特徴とする請求項８記載の入浴用車椅子。
【請求項４】
座部２には、座部２を後傾させるリクライニング機構３０と、入浴用車椅子３の前方向きに略水平状に延設せられ入浴者の脹脛を支持する下肢受４とが設けられ、
入浴者は、脹脛を支持された長座位姿勢を取り更に後傾状の背凭姿勢を取ってリラックスした態勢で入浴できることを特徴とする請求項１記載の入浴用車椅子。
【請求項５】
座部２は座面部７と背凭８とからなり、背凭８に肘掛９及び上体用フェンス１０が設けられ、
肘掛９は、水平面に回動してその延出方向が、入浴用車椅子３の前方向きから斜め後方向きに変更でき、又斜め後方向きから前方向きに変更でき、上体用フェンス１０は、水平面に回動してその位置が入浴用車椅子３の側部から後部に変更でき、又後部から側部へ変更できることを特徴とする請求項１記載の入浴用車椅子。
【請求項６】
上体用フェンス１０は、フェンス部４６と、背凭８に取り付けられたフェンス軸４７とからなり、前記フェンス部４６は握ることが可能な形状に作られ、
入浴者は、座部２への乗降時、入浴用車椅子３での搬送時、座部２での身体の洗浄時、入浴リフト１３への移乗時及び浴槽４８中の入浴時等に、フェンス部４６を掴んで乗降動作、搬送動作、身体の洗浄動作、移乗動作及び入浴動作等の一連の動作を楽に行なえることを特徴とする請求項２記載の入浴用車椅子。
【発明の詳細な説明】
【技術分野】
【０００１】
本発明は、介護を必要とする人（＝以下入浴者という）が入浴する時に使用される入浴用車椅子に関する。
【背景技術】
【０００２】
従来の技術には、台部と座部を備える車椅子が開示されている。座部に設けられる脚フレームは垂下位置から略水平位置まで回動される。
【０００３】
従来の技術に係る車椅子は座部が分離するので、入浴リフトに移る時に、人が座部へ乗り降りすることなく座部ごとスライドして入浴リフトへ移るので介護負担が軽減できる。又、吊り上げることはなく、旋回することもないので恐怖感を催さない。
【０００４】
しかし、従来の技術に係る車椅子の脚側フレームや保護フレームにはこれらを収納する収納機構が開示されておらず、車椅子へ入浴者が乗る時に、脚側フレームや保護フレームの存在が乗降動作の障害となる。
【０００５】
その他、従来の技術に係る車椅子には、上体用のフェンスが開示されておらず、入浴者の上体上部が背凭から食み出る危険があり、又、スロープフレームに台部を係合する係合部が設けられているがこれを保護する構成は開示されておらず、係合部が介助者又は物がぶつかる危険があり、又、台部と座部とをロックする機構が設けられているがこれが誤って解除されるのを防ぐ安全機構も開示されておらず、座部が転落する危険がある。
【特許文献１】実公平７−５１０５１号公報
【発明の開示】
【発明が解決しようとする課題】
【０００６】
解決しようとする問題点は、入浴用車椅子への移乗が困難である点であり、又、移乗時、乗降車時、入浴時等の入浴者及び介助者の安全対策が不十分であって危険である点である。
【課題を解決するための手段】
【０００７】
本発明の目的は、上記問題点を解決したものであり、乗降動作その他入浴に係る一連の動作が容易であり、又、安全対策を施した安全なものであり、又、乗降動作その他入浴に係る一連の動作が安心して快適にできる入浴用車椅子を提供することである。
即ち本発明は、台車１と、台車１から分離する座部２とからなる入浴用車椅子３において、座部２に下肢を支持する下肢受４が軸支され、下肢受４は延出方向を軸芯にして垂直面に回動して水平状態から垂下状態に変更できると共に、下肢受４は水平面に回動してその延出方向を前方向きから後方向きに変更でき又後方向きから前方向きに変更できることを特徴とする入浴用車椅子である。
又、下肢受４は、基部が座部２に軸支され入浴用車椅子３の前方へ向いて直線状に延びる幹体２４と、幹体２４の先部位に水平状態に設けられる足置５と、幹体２４の延出中途部に水平状態に設けられる脹脛受６とからなり、脹脛受６はその上面が足置５の上面より僅か高いか又は同高であり、入浴者は、足裏を足置５に乗せた立膝座姿勢、又は脹脛を脹脛受６に乗せた長座位姿勢のいずれかを選択できる。
更に、下肢受４は、座部２の左右に所定の間隔をもって、入浴用車椅子３の前方へ向けて設けられる左下肢受４ａと右下肢受４ｂとからなり、脹脛受６の表面は緩衝部材２３でなり、左右の足置５及び脹脛受６を垂下状態にした時、左右の緩衝部材２３は互いに間隔をもって向き合っており、入浴者は左右の緩衝部材２３の間にあって安全に乗降できる。
更に又、座部２には、座部２を後傾させるリクライニング機構３０と、入浴用車椅子３の前方向きに略水平状に延設せられ入浴者の脹脛を支持する下肢受４とが設けられ、入浴者は、脹脛を支持された長座位姿勢を取り更に後傾状の背凭姿勢を取ってリラックスした態勢で入浴できる。
又、座部２は座面部７と背凭８とからなり、背凭８に肘掛９及び上体用フェンス１０が設けられ、肘掛９は、水平面に回動してその延出方向が、入浴用車椅子３の前方向きから斜め後方向きに変更でき、又斜め後方向きから前方向きに変更でき、上体用フェンス１０は、水平面に回動してその位置が入浴用車椅子３の側部から後部に変更でき、又後部から側部へ変更できる。
更に、上体用フェンス１０は、フェンス部４６と、背凭８に取り付けられたフェンス軸４７とからなり、前記フェンス部４６は握ることが可能な形状に作られ、入浴者は、座部２への乗降時、入浴用車椅子３での搬送時、座部２での身体の洗浄時、入浴リフト１３への移乗時及び浴槽４８中の入浴時等に、フェンス部４６を掴んで乗降動作、搬送動作、身体の洗浄動作、移乗動作及び入浴動作等の一連の動作を楽に行なえる。
【発明の効果】
【０００８】
本発明に係る下肢受４は水平面に回動してその延出方向を前方向きから後方向きに変更でき又後方向きから前方向きに変更できると共に、下肢受４は延出方向を軸芯にして垂直面に回動して水平状態から垂下状態に変更できるから、入浴用車椅子３の座部２前方に入浴者の移動動作の障害となる物がなく、又、入浴用車椅子３の座部２側方に入浴者の移動動作の障害となる物がなく、入浴者、介助者の接近を阻害するものがなく、入浴者、介助者は入浴用車椅子３に接近でき、入浴者は容易に入浴用車椅子３へ移乗又は乗降でき、好都合である。
又、介助者は入浴者の移乗介助又は乗降介助が容易であり、好都合である。
【０００９】
本発明に係る入浴者は、足裏を足置５に乗せた立膝座姿勢、又は脹脛を脹脛受６に乗せた長座位姿勢のいずれかを選択できるから、入浴者は座部２に乗っている入浴時その他の時に立膝座姿勢又は長座位姿勢のどちらかを適宜選択して取ることができ、楽に入浴でき、好都合である。
又、下肢受４の延出長さは足置５を先端とした短いものであるから、広い浴槽４８でも狭い浴槽４８でも入浴用車椅子３を使用でき、汎用性が高く、好都合である。
【００１０】
本発明は、左右の足置５及び脹脛受６を、回動させて水平状態から垂下状態へ変更すると、左右の緩衝部材２３は互いに間隔をもって向き合うから、入浴者の左右側面にそれぞれ緩衝部材２３が位置し、入浴者が脹脛受６にぶつかっても緩衝部材２３に当るので当該ぶつかり部位は緩衝部材２３により緩衝され怪我を回避でき安全であり、好都合である。
【００１１】
本発明に係る座部２には、座部２を後傾させるリクライニング機構３０と、入浴用車椅子３の前方向きに略水平状に延設せられ入浴者の脹脛を支持する下肢受４とが設けられ、入浴者は、脹脛を支持された長座位姿勢を取り更に後傾状の背凭姿勢を取ることができるから、それらの長座位の後傾姿勢のリラックスした態勢で入浴でき、心身への労力負担を軽減でき、好都合である。
【００１２】
本発明に係る肘掛９は、水平面に回動してその延出方向が前方向きから斜め後方向きに変更でき又斜め後方向きから前方向きに変更でき、上体用フェンス１０は、水平面に回動してその位置が入浴用車椅子３の側部から後部に変更でき又後部から側部へ変更できるから、入浴用車椅子３の通常形態（＝入浴態勢のセッティング）では、肘掛９はその延出方向が前方向きであり、上体用フェンス１０はその位置が入浴用車椅子３の側部にあるので、入浴者が背凭８から食み出すのを防ぎ、入浴者を安全に支持でき、好都合である。
又、入浴用車椅子３の乗降形態（＝乗降態勢のセッティング）では、肘掛９はその延出方向は斜め後方向きであり、上体用フェンス１０は水平面に回動してその位置が入浴用車椅子３の後部にあるので、入浴者の乗降・移乗に係る移動空間に障害物がなく、入浴用車椅子３への乗降・移乗動作及びその介助が容易であり、好都合である。
【００１３】
本発明に係る上体用フェンス１０は、フェンス部４６と、背凭８に取り付けられたフェンス軸４７とからなり、前記フェンス部４６は握ることが可能な形状に作られ、入浴者は、座部２への乗降時、入浴用車椅子３での搬送時、座部２での身体の洗浄時、入浴リフト１３への移乗時及び浴槽４８中の入浴時等に、フェンス部４６を掴んで乗降動作、搬送動作、身体の洗浄動作、移乗動作及び入浴動作等の一連の動作を行なえるから、これらの諸動作が容易に楽に行なえ、洗浄も十分に行なえ、好都合である。
【発明を実施するための最良の形態】
【００１４】
本発明の、移乗が容易であり、又、安全対策を施した安全なものであり、又、安心して快適に乗降車できる入浴用車椅子を提供する目的を、台車１と、台車１から分離する座部２とからなる入浴用車椅子３において、座部２に下肢を支持する下肢受４が軸支され、下肢受４は延出方向を軸芯にして垂直面に回動して水平状態から垂下状態に変更できると共に、下肢受４は水平面に回動してその延出方向を前方向きから後方向きに変更でき又後方向きから前方向きに変更できる入浴用車椅子をもって、実現した。
【実施例１】
【００１５】
図１、２、３、４、５、６、７、８、９、１０、１１、１５、１６に本発明の実施例１の入浴用車椅子３を示している。
入浴用車椅子３は、台車１と、台車１に載設される座部２とからなる。
【００１６】
座部２は、座面部７と、下肢受４と、背凭８と、リクライニング機構３０と、掛止機構１７とからなる。
座面部７は、入浴者の臀部を支持する座面緩衝材２５と、座面緩衝材２５を支持する座部枠２６と、台車１に移動可能に載設されるローラー枠２７と、座部枠２６をローラー枠２７に後傾動可能に軸支するリクライニング用軸２９とからなる。ローラー枠２７にはローラー２８が取着され、該ローラー枠２７は台車１上を自在に移動できる。
【００１７】
下肢受４は脹脛、足先等の下肢を支持するものであり、左下肢受４ａと右下肢受４ｂで構成される。尚、構成部品の名称は入浴用車椅子３に乗る入浴者の左右部位に合わせて付けている。
【００１８】
下肢受４は、座部枠２６の前部の左右部に下肢受台２２（左下肢受台２２ａ及び右下肢受台２２ｂ）を介してそれぞれ設けられる。
入浴用車椅子３の前方向きの左下肢受４ａ及び右下肢受４ｂはそれぞれ入浴用車椅子３の外側に回動して、後方向きに変更できる。
下肢受４は、下肢受台２２を介して後方向へ回動するものであり１８０度方向転換できる。
又、入浴用車椅子３の後方向きの左下肢受４ａ及び右下肢受４ｂはそれぞれ入浴用車椅子３の外側に回動して、前方向きに変更できる。
【００１９】
通常形態時の入浴用車椅子３にあって、左下肢受台２２ａ及び右下肢受台２２ｂは互いに向き合わせ（＝内向き）状態に設けられる。
入浴用車椅子３を乗降形態に変える時は、左下肢受台２２ａ及び右下肢受台２２ｂを、入浴用車椅子３の外側に１８０度回動して左右外向き状態に変更する。
又、入浴用車椅子３の外方向き状態の左下肢受台２２ａ及び右下肢受台２２ｂは、入浴リフト１３に移乗する時（＝入浴時、通常形態時）には、それぞれ入浴用車椅子３の外側に回動して、内向きの突合せ状態に戻し変更できる。
左右の下肢受台２２は、座部枠２６の前部左右に垂下取着された各垂下軸４２にそれぞれ軸支される。垂下軸４２の一部は、コ字形枠７８で囲われる。
【００２０】
下肢受台２２の所定位置に突起５２が形成される。垂下軸４２の下部に前記突起５２が嵌合される窪み５１が形成される。
下肢受４が前方に向いている時には、下肢受バネ８０のバネ作用により突起５２が窪み５１に嵌り、下肢受４が回動しないように作用する。
下肢受４を後方向きに変更する時は、先ず、足置５及び脹脛受６を垂下位置に変え、次に、下肢受４を少し持ち上げ、突起５２を窪み５１から外してから、回動させ、後方向きに変更する。
突起５２と窪み５１の嵌合機構により、下肢受４に入浴者が下肢を乗せている時、意に反して、下肢受４が水平方向に回動することはなく、下肢が下肢受４から転落するといった危ないことが起きないように安全を図ることができるものである。
【００２１】
下肢受４は、基部が下肢受台２２に軸支され直線状に延びる幹体２４と、
幹体２４の先部位に設けられる足置５と、幹体２４の延設中途部に設けられる脹脛受６とからなる。
【００２２】
下肢受台２２に対して幹体２４は回動可能であり、該幹体２４を回動させて足置５及び脹脛受６を水平状態から垂下状態に変更できる。又、逆に、垂下状態から水平状態にも変更できる。
【００２３】
下肢受４が入浴用車椅子３の前方へ向いて略水平状態に固定された通常形態のもとで、脹脛受６はその上面が足置５の上面より僅か高くして幹体２４に設けられる。
入浴者が足裏を足置５に乗せた立膝座姿勢、又は入浴者が脹脛を脹脛受６に乗せた長座位姿勢を取ることができる。
【００２４】
左右の下肢受４の各脹脛受６の表面は、それぞれに緩衝部材２３で構成される。
下肢受４が入浴用車椅子３の通常形態にある時、そして入浴者を乗降させる時に、足置５及び脹脛受６を回動させて水平状態から垂下状態へ変更すると、左右の緩衝部材２３は互いに間隔をもって向き合う。
【００２５】
背凭８は、座面部７の後部に一体的に略起立状態に設けられる。
背凭８には、肘掛９と、上体用フェンス１０とが取着される。
【００２６】
肘掛９は、肘置４３と、大腿フェンス４４と、肘軸４５からなる。肘置４３と大腿フェンス４４は一体化しており、肘置４３及び大腿フェンス４４は、肘軸４５を中心に回動できこれらを回動させて前方向きにあるものを斜め後方向きに変更でき、又、斜め後方向きにあるものを前方向きに戻し変更できる。
【００２７】
肘軸４５は、肘円筒部５４と肘中軸５５とからなる。肘円筒部５４の所定位置に窓５６が形成される。肘中軸５５には窓５６の肘溝５７に嵌合できる肘突起５８が設けられる。肘掛９が前方向きに至った時は肘突起５８が窓５６の肘溝５７に嵌り固定される。肘掛９を後方向きに変更する時は、肘掛９を少し持ち上げ肘突起５８を肘溝５７から外してから、回動させる。
【００２８】
入浴リフト１３は、座部２に乗った入浴者を、座部２と共に浴槽４８へ浸け入浴させるものである。前記入浴リフト１３の左右側には上カバー８４が所定間隔をもって突設される。入浴リフト１３は浴槽４８の縁に設置されており、入浴リフト１３の一方には入浴用車椅子３が接合され、入浴リフト１３の他方は浴槽４８に接する。（図９参照）
入浴用車椅子３の左右の肘掛９を斜め後方向きに開いた時、左の肘掛９の先部から右の肘掛９の先部までの幅が、左右の上カバー８４の所定間隔より大きくなる。
前記入浴用車椅子３は入浴リフト１３に接合でき、座部２は、入浴リフト１３に移乗したうえ入浴リフト１３の前部の入浴位置へ移動可能である。
前述の肘掛９を斜め後方向きに開いたまま座部２を入浴リフト１３の前部へ移動させると、肘掛９が上カバー８４にぶつかって、入浴リフト１３の入浴位置へ移動できず、座部２はセッティングが不適切な状態では浴槽４８に入れないようにしている。
【００２９】
入浴リフト１３の一方側（＝前記接合側）の左右側には案内具２１が設けられる。又、入浴リフト１３の一方側には受穴１４が開けられる。入浴用車椅子３の座部枠２６の前部には接合鉤具１５が設けられる。
入浴リフト１３に入浴用車椅子３を接合する時、入浴リフト１３の案内具２１に入浴用車椅子３の保護枠１６が当接し、入浴用車椅子３が所定位置へ案内される。
入浴リフト１３に入浴用車椅子３を接合すると、接合鉤具１５の先部が受穴１４に嵌入する。前記接合鉤具１５の嵌入により入浴用車椅子３が入浴リフト１３に接合され離間しないように掛止される。
【００３０】
上体用フェンス１０は、フェンス部４６とフェンス軸部４７とからなる。フェンス部４６は、棒部材で作られ、握り易い形状である。
入浴者は、座部２への移乗時、搬送時、身体の洗浄時、浴槽４８への昇降時、及び浴槽４８内の入浴時に、フェンス部４６を掴んで、移乗時の動作、搬送時の動作、洗浄時の動作、昇降時の動作及び入浴時の動作を楽に行なえる。
上体用フェンス１０はフェンス軸部４７を中心に回動できこれを回動させて前方向きにあるものを後方向きに変更でき、又、後方向きにあるものを前方向きに戻し変更できる。
【００３１】
フェンス軸部４７は、フェンス筒部５９とフェンス中軸６０とからなる。フェンス筒部５９の所定位置にフェンス窓６１が形成される。フェンス中軸６０には、フェンス窓６１のフェンス溝６２に嵌合できるフェンス突起６３が設けられる。
上体用フェンス１０が前方向きに至った時はフェンス突起６３がフェンス窓６１のフェンス溝６２に嵌り固定される。
上体用フェンス１０を後方向きに変更する時は、上体用フェンス１０を少し持ち上げフェンス突起６３をフェンス溝６２から外してから、回動させる。
【００３２】
台車１は、車輪１１と台車枠１２とからなり、入浴者を脱衣場から入浴リフト１３までの間を往復走行するものである。
台車枠１２の前部に、入浴リフト１３の受穴１４に掛止できる接合鉤具１５が設けられる。
【００３３】
台車枠１２の前部に、接合鉤具１５の前方及び左右方を囲う保護枠１６が設けられる。保護枠１６は、具体例では半円形の枠体である。
保護枠１６は、人又は物と接合鉤具１５との衝突を回避し、安全を図ると共に、接合鉤具１５を保護する保護機能を有する。接合鉤具１５の変形破損を回避し、入浴用車椅子３と入浴リフト１３の接合ミスを回避する。
更に、人又は物と、車輪１１又は車輪ストッパー７９との衝突を回避し、安全を図るバンパー機能と、入浴リフト１３に対する入浴用車椅子３の当接位置を所定位置に決める位置決め機能との三つの機能を有する。（図９参照）
【００３４】
入浴用車椅子３には、座部２を台車１に掛止する掛止機構１７が設けられる。
掛止機構１７は座部２を台車１に掛止するものであり、該掛止機構１７は、
座部２に設けられるピン１８と、台車１に設けられる穴１９と、台車１に設けられ、ピン１８が穴１９からの抜けるのを阻止する阻止具２０と、ピン１８を引き上げるピン操作具６８とからなる。
【００３５】
座部２のピン１８は、台車１に嵌入し、座部２を台車１に掛止し維持する。
阻止具２０は、台車１が入浴用車椅子３に接合すると作動する検出器３８と、検出器３８の作動量を伝達する伝達器３９と、伝達器３９に連結される当接片４０と、当接片４０を前方向へ付勢するバネ５３とからなる。（図８参照）
【００３６】
掛止機構１７は、台車１が入浴用車椅子３に接合している時は、ピン１８が穴１９から抜ける状況にある。
即ち、検出器３８は、入浴リフト１３のレール４１（図１６参照）内に設けられた押し片８１に押される。検出器３８に繋がる伝達器３９と当接片４０は共に後方向に移動し、当接片４０はピン１８から離れピン１８を押えない。ピン１８は穴１９からの抜き差しが自在な状態になる。
【００３７】
前記押し片８１は、入浴リフト１３の受穴１４の下方に設けられた受動片８２にアウター付きワイヤー８３で連繋されている。入浴用車椅子３が入浴リフト１３に接合した時接合鉤具１５が受穴１４に嵌る。接合鉤具１５が受動片８２を押し下げる。受動片８２は押し片８１を突出移動させる。押し片８１は検出器８１を押す。
介助者はピン１８を抜き座部２を入浴リフト１３側へ移動できる。
【００３８】
台車１が入浴用車椅子３に接合していない時は、ピン１８が穴１９から抜けない状況にある。
即ち、当接片４０は、バネ５３の付勢力で前方向へ移動し、ピン１８の部材途中に形成された凹部６７に嵌ってこれを押圧し、ピン１８は上昇が不自在となっている。当接片４０は、ピン１８が穴１９から抜けるのを阻止する。（図７、８参照）
又、上記阻止状態下では、当接片４０が凹部６７に嵌っているので、座部２は、前方向へも後方向へも上方へも移動不自在であり、台車１に確実に掛止される。
【００３９】
入浴用車椅子３は、リクライニング式分離型であり、リクライニング機構３０を操作して背凭８を通常の背凭８れ姿勢（背起立姿勢）からリクライニング姿勢へ後傾させると、下肢受４及び座面部７も、同時にリクライニング軸２９を中心に回動する。
座面部７は前部が高位で後部が低位に傾斜し、下肢受４は先部が高位で基部が低位に傾斜する。
座部２は、通常の背起立姿勢からリクライニング姿勢へ、又、リクライニング姿勢から背起立姿勢へと往復移動できる。
【００４０】
リクライニング機構３０は、背凭８及び座面部７と、座部枠２６とに亘って設けられ、座部枠２６に対する背凭８、座面部７及び下肢受４の角度を一体的に、後傾角度に変更させるものである。
リクライニング機構３０は、台車１側の止具３２と、背凭８側の溝付片３３と、操作具３４とからなる。
溝付片３３には、通路３５の両端に起立溝３６と、リクライニング溝３７とが形成される。止具３２が起立溝３６に嵌っているときは背凭８は略起立状態にあり、止具３２がリクライニング溝３７に嵌っているときは背凭８は後傾状態（リクライニング姿勢）にある。
入浴者の要望に応じて、背凭８部を後傾し座部２をリクライニング姿勢になす。
【００４１】
（下肢受４とリクライニング機構３０）
座部２には、座部２を後傾させるリクライニング機構３０と、入浴用車椅子３の前方向きに略水平状に延設せられ入浴者の脹脛を支持する下肢受４とが設けられ、入浴者は、脹脛を支持された長座位姿勢を取り更に後傾状の背凭姿勢を取ってリラックスした態勢で入浴できる。
【００４２】
図１中、６４は腹締具、６５は大腿ベルト、６６は台車レール、６９は枕、７０は枕スライド長穴、７１は取手、７２は背凭取手、７３は収縮バネ、７４は連結棒、７５は昇降板、８５は昇降レール、８６は吊りベルト、８７は昇降体、８８はレール柱である。
【００４３】
実施例１を使用する際は、先ず、該実施例１を乗降形態にセッティングする。セッティングしてから、入浴者を入浴用車椅子３に乗せる。
座部２が入浴形態にセッティングされていたら乗降形態のセッティングに変更する。
【００４４】
介助者は、下肢受４の足置５及び脹脛受６を水平状態から垂下状態に変える。
下肢受４を回動させ、入浴用車椅子３の前方向きから後方向きに変える。
介助者は、肘掛９を回動させ、肘掛９の位置を入浴用車椅子３の前方向きから斜め後方向きへ変える。又、介助者は、上体用フェンス１０を回動させ、入浴用車椅子３の側部の位置から後部の位置へ変える。
【００４５】
上記セッティングを行なった後、介助者は入浴者を、入浴用車椅子３の座部２に乗せる。
座部２の乗降側（＝例えば右側）とは反対側（＝例えば左側）の肘掛９及び上体用フェンス１０は入浴用車椅子３の前方向きに位置し掛止されている。入浴者は乗降の際、前方向きに位置し掛止されている上体用フェンス１０を適宜掴む。
入浴者は、入浴用車椅子３への乗降時、入浴用車椅子３に乗っている搬送時、台車１と入浴リフト１３との間の移乗時、浴槽４８への昇降時、浴槽４８内での入浴時等の一連の入浴に係る動作時に、前方向きに位置し掛止されている上体用フェンス１０を適宜掴み、身体を楽な態勢に維持する。
【００４６】
保護枠１６は、人や物が接合鉤具１５に当るのを防ぎ、接合鉤具１５を保護する。即ち、保護枠１６は、保護機能を果たし、接合鉤具１５の破損を防ぐ。
又、保護枠１６は、人や物が車輪１１、又は車輪ストッパー７９、又は接合鉤具１５等にぶつかるのを防ぐ。即ち、保護枠１６は、バンパー機能を果たし、人が構成部品に当って怪我することのないようにし安全を図り、入浴用車椅子３の前進を確保する。（図４参照）
保護枠１６の存在によって、人や物が接合鉤具１５にぶつからず接合鉤具１５の構成、作用を確保でき、入浴用車椅子３と入浴リフト１３の接合を確実に行なえ、好都合である。即ち、人や物が接合鉤具１５にぶつかって接合鉤具１５を変形させるということは起きず、入浴用車椅子３と入浴リフト１３の接合ミスを排除できる。
【００４７】
前記保護枠１６の存在によって、入浴用車椅子３に乗降する時、入浴者が車輪１１又は車輪ストッパー７９にぶつかることはなく安全である。
又、前記三個機能を得るために保護枠１６を設けるだけでよく、位置決め機能に係る構成と、バンパー機能に係る構成とを省略でき、製作コストの削減が図れる。
【００４８】
乗り終わると、次に、座部２のセッティングを入浴形態のセッティングに変更する。
下肢受４の足置５及び脹脛受６は垂下状態にあって、該下肢受４は後方に向いている。その下肢受４を、回動させ前方向きに戻す。
【００４９】
前述の下肢受４を戻した時、左右の脹脛受６の緩衝部材２３は、間隔をもって互いに内向きにある（向き合う）から、緩衝部材２３に入浴者の下肢が当っても怪我を回避できる。
介助者は、腰掛け姿勢の入浴者の下肢を持ち上げる。下肢受４の足置５及び脹脛受６を回動させ水平状態に位置させる。
【００５０】
水平状態の足置５及び脹脛受６に下肢を乗せる。下肢を下肢受４に乗せている上記状態の時、突起５２が窪み５１に嵌っている。突起５２及び窪み５１の鉤止作用により下肢受４は垂下軸４２に鉤止されているから、下肢受４は水平方向に回動しない。
従って、不本意に、左・右下肢受４ａ・４ｂは互いに開く方向に回動することは無く、下肢が下肢受４から急落下せず、安全である。
【００５１】
入浴者は下肢を前方向へ投げ出し長座位姿勢を取る。或いは、足裏を足置５に置き立膝座姿勢を取ることも可能である。入浴者は、長座位姿勢と立膝座姿勢のいずれかを選択する。
腹締具６４を締めて、腹を背凭８に固定する。大腿ベルト６５を締めて、大腿を下肢受４に固定する。
【００５２】
斜め後方に向かせていた肘掛９を、回動させ前方向きに戻す。肘を肘掛９に乗せる。立膝座姿勢の場合、入浴者の大腿が座面部７から食み出すのを肘掛９で防ぐ。
斜め後方に向かせていた上体用フェンス１０を、回動させ前方向きに戻す。上体の左右側への食み出しを上体用フェンス１０で防ぐ。
【００５３】
操作具３４を引き、止具３２を溝付片３３の起立溝３６から外し、背凭８を後傾し、止具３２をリクライニング溝３７に嵌め、背凭８をリクライニング姿勢に変更する。
入浴者は、長座位姿勢で且つ背を後傾状に凭れたリクライニング姿勢でリラックスできる態勢を取る。
入浴者の身体的状況、浴槽４８の形状に応じて、長座位姿勢を立膝座姿勢に変えることは自在である。
入浴用車椅子３を脱衣場から入浴リフト１３まで走行し、入浴者を搬送する。
【００５４】
入浴用車椅子３を入浴リフト１３に接合する。
保護枠１６は、案内具２１に当って入浴用車椅子３を所定位置へ至らせ、位置決め機能を発現する。
入浴用車椅子３が所定位置へ至ると接合鉤具１５が受穴１４に嵌り、接合が完了する。（図９参照）
【００５５】
前記接合により、接合鉤具１５が受動片８２を押し下げ、入浴リフト１３のレール４１内の押し片８１が突出し、検出器３８は押し片８１に押されバネ５３力に負けて後退する。
阻止具２０（＝具体例では当接片４０）が入浴用車椅子３の後方向へ移動する。当接片４０がピン１８から離れる。
当接片４０がピン１８から離れると、ピン１８の上昇動が自在となり、座部２と台車１との掛止は解除できる状態になる。即ち、入浴用車椅子３が入浴リフト１３に確実に接合すると、掛止機構１７が解除状態に変わる。
【００５６】
入浴用車椅子３が入浴リフト１３への接合が不確実であると、当接片４０が入浴用車椅子３の後方向へ移動せず、阻止作用が解除されず、掛止機構１７が解除されず、座部２は、動かず台車１から脱落しない。
介助者は、手動でピン１８を抜き、座部２を台車１から掛止解除する。
座部２を入浴リフト１３へ移乗する際、台車１が入浴リフト１３に接合していない時には、介助者が誤操作してもピン１８は抜けず、掛止機構１７が解除されず、座部２が台車１から転落することは無く、安全である。
台車１が入浴リフト１３に接合している時には、掛止機構１７が解除され、座部２が、台車１から外れ、円滑に入浴リフト１３に移乗できる。
又、台車１の接合鉤具１５が入浴リフト１３に完全に掛かった時にのみ阻止具２０が阻止作用を発現するものであり、接合金具１５の掛かりが不完全（＝半掛かり）の場合は阻止具２０が阻止作用を発現し、ピン１８は抜けず、安全を確保できる。
又、一般車椅子から入浴用車椅子３に入浴者が移乗する時、又、入浴用車椅子３に入浴者が乗降する時等に、ピン１８が抜けず台車１から座部２が移動しないから、入浴者は乗降中に乗りそこね事故を起さず安全である。
【００５７】
介助者は、掛止解除状態の座部２を、入浴リフト１３側へ押し移乗する。
肘掛９及び上体用フェンス１０が、前方向を向いているので、これらが入浴リフト１３の上カバー８４にぶつからずに座部２は前進でき、入浴リフト１３の前部の入浴位置へ至る。
肘掛９を斜め後方向きに開いたまま座部２を入浴リフト１３の前部へ移動させると、肘掛９が上カバー８４にぶつかって、入浴リフト１３の入浴位置へ移動できない。
座部２はそのセティングが不適切な状態では浴槽４８に入れないようにしたものであるから、浴槽４８へ昇降する時、及び浴湯中の時等に肘掛９が入浴用車椅子３の斜め後方向きに開いたままにしていると入浴者が座部から食み出したり転落する等の危険があるがそのような危険を排除できて、安全に入浴できる。
入浴リフト１３を適宜操作し入浴者を湯に浸け入浴する。
暫時後入浴リフト１３を適宜操作して脱浴する。
入浴者が乗った座部２を入浴リフト１３から台車１へ移乗する。
【００５８】
移乗後、掛止機構１７のピン１８を穴１９へ嵌め、座部２を台車１へ掛止する。
リクライニング機構３０の操作具３４を操作し、背凭８を起立状態に戻す。
解除ペダル３１を踏んで接合鉤具１５の先部を受穴１４から抜き、入浴用車椅子３と入浴リフト１３の接合掛止を解除する。
【００５９】
上記解除を行なうと、接合鉤具１５が受動片８２から離れ、受動片８２が元に戻る。
押し片８１が戻り、検出器３８はバネ５３力で戻り、当接片４０がピン１８に押圧する。
当接片４０がピン１８に押圧すると、ピン１８の上昇動が不自在となり、座部２と台車１との掛止は解除できない状態になる。
掛止機構１７は、座部２を台車１に掛止しその掛止を維持する。
介助者は、入浴用車椅子３を後退させ入浴リフト１３から離す。
【００６０】
入浴リフト１３を脱衣場へ搬送する。
搬送後、入浴用車椅子３を乗降形態に変更する。介助者は入浴者の下肢を持ち上げその間に下肢受４の足置５及び脹脛受６を垂下状態に変える。
下肢受４を僅か持ち上げ掛止を解除しながら回動し後方向きに変更する。肘掛９を僅か持ち上げ掛止を解除しながら回動し斜め後方向きに変更する。
上体用フェンス１０を僅か持ち上げ掛止を解除しながら回動させ斜め後方向きに変更する。
上記足置５及び脹脛受６、下肢受４、肘掛９、上体用フェンス１０は、左右のものに付いて変更に係る操作を行なう。
【実施例２】
【００６１】
図１２、１３、１４に示す実施例２は、実施例１の突起５２及び窪み５１を、幹体２４の基部に偏心して設けられるキープレート７６と、コ字形枠７８に開けられるキー溝７７に代えている。
キープレート７６は下肢受４の幹体２４の基部に偏心して設けられ、幹体２４と共に回転する。
【００６２】
キー溝７７は前記コ字形枠７８に左右方向に溝状に開けられる。
下肢受４が前方に向いていて脹脛受６が水平状態にある時は、キープレート７６はキー溝７７に嵌入している。この嵌入時にはキープレート７６は幹体２４の水平面での回動を阻止する。キープレート７６及びキー溝７７は、脹脛受６を水平状態にして下肢受４を前方へ向けている時に、該下肢受４の水平方向の回動を阻止するものである。
従って、脹脛受６が水平状態にある時は、下肢受４は水平面で回動できない。
【００６３】
幹体２４の基部には所定箇所に回転ストッパー５０が設けられる。下肢受台２２には、回転ストッパー５０を受け止める受部４９が形成される。受部４９は、左右の足置５が互いに内向きで水平位置になるよう回転ストッパー５０を受け止める。
足置５及び脹脛受６は水平位置から遊端側を上方に上げ外側に２７０度回して垂下位置に至たらせることができる。上記回転ストッパー５０と受部４９に係る構成は、実施例１も同様の構成である。（図１２、１３参照）
【００６４】
水平状態の足置５及び脹脛受６に下肢を乗せる。下肢を下肢受４に乗せている状態の時、キープレート７６及びキー溝７７の鉤止作用により下肢受４はコ字形枠７８に鉤止されているから下肢受４は水平方向に回動しない。
下肢受４に入浴者が下肢を乗せている時、意に反して、左右の下肢受４が水平方向に開き回動することは、鉤止作用により起こらず、下肢が下肢受４から転落するといった危ないことが起きないように安全を図ることができるものである。
【００６５】
脹脛受６を回動させ垂下状態に変更すると、プレート７６はキー溝７７から抜け出る。この抜け出ている時は、下肢受４は水平面での回動は可能となり、下肢受４は水平面で回動させて後方へ向けることができる。
【産業上の利用可能性】
【００６６】
台車１と、台車１から分離する座部２とからなる入浴用車椅子３において、座部２に足置５が取着された下肢受４が軸支され、入浴者が移乗する時には、下肢受４は水平面に回動してその延出方向を前方向きから後方向きに変更できると共に下肢受４は延出方向を軸芯にして垂直面に回動して足置５が水平状態から垂下状態に変更できる入浴用車椅子に適用できる。
【図面の簡単な説明】
【００６７】
【図１】本発明の実施例１の掛止機構を示す斜視図である。
【図２】本発明の実施例１を示す正面図である。
【図３】本発明の実施例１を示す平面図である。
【図４】本発明の実施例１を示す右側面図である。
【図５】本発明の実施例１の移乗状態を示す正面図である。
【図６】本発明の実施例１の移乗状態を示す平面図である。
【図７】本発明の実施例１の移乗状態を示す右側面図である。
【図８】本発明の実施例１の掛止機構を示す部分図である。
【図９】本発明の実施例１を入浴リフトに接合した平面図である。
【図１０】本発明の実施例１の下肢受を示す斜視図である。
【図１１】本発明の実施例１のフェンス軸部を示す斜視図である。
【図１２】本発明の実施例２のキープレート及びキー溝を示す左側部分図である。
【図１３】本発明の実施例２のキープレート及びキー溝を示す背面部分図である。
【図１４】本発明の実施例２のキープレート及びキー溝を示す平面部分図である。
【図１５】本発明の実施例１上の入浴者を示す左側面図である。
【図１６】本発明の実施例１が接合する入浴リフトの押し片及び受動片を示す部分図である。
【符号の説明】
【００６８】
１  台車
２  座部
３  入浴用車椅子
４  下肢受
５  足置
６  脹脛受
７  座面部
８  背凭
９  肘掛
１０  上体用フェンス
１１  車輪
１２  台車枠
１３  入浴リフト
１４  受穴
１５  接合鉤具
１６  保護枠
１７  掛止機構
１８  ピン
１９  穴
２０  阻止具
２３  緩衝部材
２４  幹体
３０  リクライニング機構
４６  フェンス部
４７  フェンス軸部
４８  浴槽
８４  上カバー
【図１】
2009112689.tif 000003
【図２】
2009112689.tif 000004
【図３】
2009112689.tif 000005
【図４】
2009112689.tif 000006
【図５】
2009112689.tif 000007
【図６】
2009112689.tif 000008
【図７】
2009112689.tif 000009
【図８】
2009112689.tif 000010
【図９】
2009112689.tif 000011
【図１０】
2009112689.tif 000012
【図１１】
2009112689.tif 000013
【図１２】
2009112689.tif 000014
【図１３】
2009112689.tif 000015
【図１４】
2009112689.tif 000016
【図１５】
2009112689.tif 000017
【図１６】
2009112689.tif 000018